(57)【要約】【課題】指針により時刻表示を行うアナログ時計装置に関し、時間以外の他の機能により得られる情報を表示できるアナログ計時装置を提供することを目的とする。【解決手段】本発明は、複数の指針により時刻表示を行うアナログ時計装置であって、前記複数の指針を各々別々に駆動可能とされた駆動部と、表示機能を選択する切換部と、前記切換部で選択された表示機能を指示する指示部と、前記切換部で選択された表示機能に基づいて前記駆動部を前記複数の指針で各々独立して駆動するように制御し、前記複数の指針により前記切換部で選択された表示機能に応じた表示を行わせる処理部とを有することを特徴とする。【選択図】図１
2009014616.tif 000002
【特許請求の範囲】
【請求項１】
複数の指針により時刻表示を行うアナログ時計装置であって、
前記複数の指針を各々別々に駆動可能とされた駆動部と、
表示機能を選択する切換部と、
前記切換部で選択された表示機能を指示する指示部と、
前記切換部で選択された表示機能に基づいて前記駆動部を前記複数の指針で各々独立して駆動するように制御し、前記複数の指針により前記切換部で選択された表示機能に応じた表示を行わせる処理部とを有するアナログ時計装置。
【請求項２】
文字盤に前記切換部で選択された表示機能に応じた文字を表示させる表示制御部を有する請求項１記載のアナログ時計装置。
【請求項３】
前記切換部で選択される表示機能に応じた周囲環境の状態を検出する検出部を有し、
前記処理部は、前記切換部で前記検出部を用いる表示機能が選択されたときに前記検出部の検出結果に基づいて前記駆動部を制御する請求項１又は２に記載のアナログ計時装置。
【請求項４】
前記検出部は、気圧センサであり、
前記処理部は、前記切換部により高度表示機能が選択されたときには前記気圧センサで検出された気圧の情報に基づいて高度を取得し、前記複数の指針により表示し、前記切換部により天気表示機能が選択されたときには、前記圧力センサで検出された気圧の情報に基づいて天気を取得する請求項１乃至３のいずれか一項記載のアナログ計時装置。
【請求項５】
複数の指針により文字盤に時刻を指示するアナログ時計装置であって、
前記複数の指針を駆動する駆動部と、
表示機能を選択する切換部と、
前記切換部で選択された表示機能を指示する指示部と、
前記文字盤に前記切換部で選択された表示機能を表示させる表示部と、
前記切換部で選択された表示機能に基づいて前記切換部で選択された表示機能に応じて前記表示部に他の機能を表示させる処理部とを有するアナログ時計装置。
【発明の詳細な説明】
【技術分野】
【０００１】
本発明はアナログ時計装置に係り、特に、指針により時刻表示を行うアナログ時計装置に関する。
【背景技術】
【０００２】
従来から自動車に搭載されるアナログ式計時装置は、指針、文字盤により時刻を表示しているため、時刻表示に限定されていた。また、時刻以外の表示機能として指針を用いてカレンダー表示を行うアナログ式計時装置が提案されている（例えば、特許文献１参照）。
【特許文献１】特開２０００−１４７１５７号公報
【発明の開示】
【発明が解決しようとする課題】
【０００３】
しかるに、従来の車載用のアナログ式計時装置は時間に関する表示のみであり、方位、高度、天気などの他の機能で得られる情報を、アナログ計時装置の文字盤を用いて表示するものはなかった。
【０００４】
本発明は上記の点に鑑みてなされたもので、時間以外の他の機能により得られる情報を表示できるアナログ計時装置を提供することを目的とする。
【課題を解決するための手段】
【０００５】
本発明は、複数の指針により時刻表示を行うアナログ時計装置であって、前記複数の指針を各々別々に駆動可能とされた駆動部と、表示機能を選択する切換部と、前記切換部で選択された表示機能を指示する指示部と、前記切換部で選択された表示機能に基づいて前記駆動部を前記複数の指針で各々独立して駆動するように制御し、前記複数の指針により前記切換部で選択された表示機能に応じた表示を行わせる処理部とを有することを特徴とする。
【０００６】
文字盤に前記切換部で選択された表示機能に応じた文字を表示させる表示制御部を有することを特徴とする。
【０００７】
前記切換部で選択される表示機能に応じた周囲環境の状態を検出する検出部を有し、前記処理部は、前記切換部で前記検出部を用いる表示機能が選択されたときに前記検出部の検出結果に基づいて前記駆動部を制御することを特徴とする。
【０００８】
前記検出部は、気圧センサであり、前記処理部は、前記切換部により高度表示機能が選択されたときには前記気圧センサで検出された気圧に基づいて高度を取得し、前記複数の指針により表示し、前記切換部により天気表示機能が選択されたときには、前記圧力センサで検出された気圧に基づいて天気を取得することを特徴とする。
【発明の効果】
【０００９】
本発明によれば、切換部により表示機能を選択することにより、指示部に選択した表示機能を認識でき、時刻表示を行う複数の指針により選択した表示機能により情報を表示することができる。よって、アナログ計時装置の指針を使って時刻以外の情報を表示することができる。
【発明を実施するための最良の形態】
【００１０】
図１は本発明の第１実施例のブロック構成図を示す。
【００１１】
本実施例のアナログ計時装置１００は、指示装置１１１、マイコン１１２、検出部１１３、アクセサリスイッチＳＷACC、機能切換スイッチＳＷsを含む構成とされている。
【００１２】
指示装置１１１は、マイコン１１２からの指示に応じて指針を回転させ、時刻、方位、の情報を指示する装置である。
【００１３】
図２は指示装置１１１の構成図を示す。
【００１４】
指示装置１１１は、指示機構１２１、インジケータ１２２から構成されている。
【００１５】
指示機構１２１は、ケース１３１に時針駆動モータ１３２、時針駆動機構１３３、分針駆動モータ１３４、分針駆動機構１３５を収容し、プリント配線板１３６に実装した構成とされている。インジケータ１２２は、発光ダイオードＬＥＤ0及び光ガイド部材１９１から構成されている。
【００１６】
時針駆動モータ１３２は、ステッピングモータから構成されており、時針駆動機構１３３を駆動する。時針駆動機構１３３は、歯車１４１、１４２、時針軸１４３から構成され、時針駆動モータ１３２の回転に応じて時針軸１４３を回転させる。分針駆動モータ１３４は、ステッピングモータから構成されており、分針軸１５１を駆動する。
【００１７】
時針軸１４３及び分針軸１５１は、プリント配線板１３６及び文字盤１２７に形成された貫通孔１７１、１７２を介して延出され、先端に時針１２９、分針１３０が取り付けられる。マイコン１１２、抵抗Ｒ、発光ダイオードＬＥＤ0、ＬＥＤn、ＬＥＤe、ＬＥＤs、ＬＥＤwなどはプリント配線板１３６に実装されている。
【００１８】
発光ダイオードＬＥＤ0、ＬＥＤn、ＬＥＤe、ＬＥＤs、ＬＥＤwで発光された光は、透明樹脂材から構成されている光ガイド部材１９１、１９２ｎ、１９２ｅ、１９２ｓ、１９２ｗにより文字盤１２７に導かれ、ユーザによって視認可能とされている。
【００１９】
なお、発光ダイオードＬＥＤnは、光ガイド部材１９２ｎにより文字盤１２７の時刻「１２時」の位置に形成された方位表示部１６２ｎに導かれる。発光ダイオードＬＥＤnが発光すると、文字盤１２７の方位表示部１６２ｎの裏面側から表示面側に光が透過して、文字盤１２７の「１２時」の位置に方位が「北」であることを示す「Ｎ」の文字が表示される。
【００２０】
また、発光ダイオードＬＥＤeは、光ガイド部材１９２ｅにより文字盤１２７の時刻「３時」の位置に形成された方位表示部１６２ｅに導かれる。発光ダイオードＬＥＤeが発光すると、文字盤１２７の方位表示部１６２ｅの裏面側から表示面側に光が透過して、文字盤１２７の「３時」の位置に方位が西であることを示す「Ｅ」の文字が表示される。
【００２１】
発光ダイオードＬＥＤsは、光ガイド部材１９２ｓにより文字盤１２７の時刻「６時」の位置に形成された方位表示部１６２ｓに導かれる。発光ダイオードＬＥＤsが発光すると、文字盤１２７の方位表示部１６２ｓの裏面側から表示面側に光が透過して、文字盤１２７の「６時」の位置に方位が南であることを示す「Ｓ」の文字が表示される。
【００２２】
発光ダイオードＬＥＤwは、光ガイド部材１９２ｗにより文字盤１２７の時刻「９時」の位置に形成された方位表示部１６２ｗに導かれる。発光ダイオードＬＥＤwが発光すると、文字盤１２７の方位表示部１６２ｗの裏面側から表示面側に光が透過して、文字盤１２７の「９時」の位置に方位が西であることを示す「Ｗ」の文字が表示される。
【００２３】
次にマイコン１１２の処理動作について説明する。
【００２４】
図３はマイコン１１２の処理フローチャートを示す。
【００２５】
マイコン１１２は、ステップＳ１−１で時刻表示を行う。マイコン１１２は、ステップＳ１−２で機能切換スイッチＳＷsがオンされると、ステップＳ１−３で発光ダイオードＬＥＤ0、ＬＥＤn、ＬＥＤe、ＬＥＤs、ＬＥＤwを点灯するとともに、検出部１１３から方位検出信号を取得し、取得した方位検出信号に基づいて、例えば、指示装置１１１の時刻「１２」が指す方向の方位を検出し、指示装置１１１の時刻が「１２時」が指す方向をＮ方向として、時針１２９及び分針１３０の両方が検出された方位を指すように時針駆動モータ１３２及び分針駆動モータ１３４を制御する。なお、このとき、マイコン１１２は、現在時刻を継続してカウントしている。
【００２６】
マイコン１１２は、ステップＳ１−４で機能切換スイッチＳＷsがオフされると、ステップＳ１−１に戻って時刻表示を行う。このとき、マイコン１１２は、方位表示時にも継続してカウントされていた時刻を表示する。
【００２７】
図４は本発明の一実施例の動作説明図を示す。図４（Ａ）は時刻表示状態、図４（Ｂ）は方位表示状態を示している。
【００２８】
時刻表示状態では、機能選択スイッチＳＷsがオフ状態であり、図４（Ａ）に示すように発光ダイオードＬＥＤ0が消灯状態であり、文字盤１２７に設けられたインジケータは消灯している。これによって、時針１２９、分針１３０が時刻を指示していることを認識できる。
【００２９】
機能選択スイッチＳＷsをオンすると、方位表示状態となる。方位表示状態では、図４（Ｂ）に示すように発光ダイオードＬＥＤ0、ＬＥＤn、ＬＥＤe、ＬＥＤs、ＬＥＤwが点灯状態となり、文字盤１２７に方位指示状態を示すインジケータが点灯するとともに、方位を示す「Ｎ」、「Ｅ」、「Ｓ」、「Ｗ」の文字が点灯される。これによって、時針１２９、分針１３０が方位を指示していることを認識できる。なお、本実施例では、発光ダイオードＬＥＤ0を含むインジケータ１２２により方位指示状態を示したが、方位指示時には、発光ダイオードＬＥＤn、ＬＥＤe、ＬＥＤs、ＬＥＤwが点灯し、方位を示す文字が点灯されるため、方位を指示していることは容易に認識できるため、インジケータ１２２を削除してもよい。
【００３０】
本実施例によれば、発光ダイオードＬＥＤ0が消灯しているときには、時針１２９、分針１３０は時刻を指示しており、発光ダイオードＬＥＤ0が点灯しているときには、時針１２９、分針１３０は方位を指示していることがわかる。以上のように本実施例によれば、時計の指針により、方位など他の機能表示を行うことができる。
【００３１】
なお、発光ダイオードＬＥＤ0は、文字盤１２７に直接取付、リード線などによりプリント配線板１２６に取り付けるようにしてもよい。
【００３２】
また、本実施例では、方位を指示するときには、時針１２９と分針１３０を重ねることにより、指示方向を明確にしているが、時針１２９と分針１３０とを図５に示すように１８０度の方向に直線的に配置して、方位方向を指示するようにしてもよい。このとき、例えば、分針１３０の指す方向を方位指示方向とする。
【００３３】
本実施例では、時刻と方位とを同じ指針を用いて表示する例について説明したが、高度と天気を同じ指針を用いて表示するようにすることもできる。
【００３４】
図６は本発明の第２実施例のブロック構成図、図７は本発明の第２実施例の動作説明図を示す。同図中、図１と同一構成部分には同一符号を付し、その説明は省略する。
【００３５】
本実施例の計時装置２００は、指示装置２１１、マイコン２１２、気圧センサ２１３、高度表示スイッチＳＷs1、天気表示スイッチＳＷs2を含む構成とされている。
【００３６】
指示装置２１１は、発光ダイオードＬＥＤs1、ＬＥＤs2、抵抗Ｒを含み、更に、文字盤２２１の表示パターンが指示装置１１１とは相違する。
【００３７】
マイコン２１２は、気圧センサ２１３で検出されている気圧を検出し、検出した気圧のログをとり、検出した気圧の変化により天気を判定する。気圧の変化が徐々に低くなっている場合には、低気圧が接近しており、天気が下り坂であると判断し、「曇り」又は、「雨」を指示するように制御する。
【００３８】
また、マイコン２１２は、検出した気圧に応じて高度を測定する。このとき、大気圧の変化によって基準となる気圧が変化するので、大気圧の変化などを考慮して、高度を決定する。
【００３９】
本実施例の計時装置２００は、高度表示スイッチＳＷs1をオンすると、発光ダイオードＬＥＤs1が発光するとともに、時針１２９が発光ダイオードＬＥＤs1の方向を指すことにより、分針１３０が高度を指示していることを示し、また、分針１３０が文字盤２２１の高度指示位置に移動し、高度を指示する。また、天気表示スイッチＳＷs2をオンすると、発光ダイオードＬＥＤs2が発光するとともに、時針１２９が発光ダイオードＬＥＤs2の方向を指すことにより、分針１３０が天気を指示していることを示し、また、分針１３０が文字盤２２１の天気指示位置に移動し、天気を指示する。
【００４０】
なお、図１の方位「Ｎ」、「Ｅ」、「Ｓ」、「Ｗ」の表示と同様に、高度表示スイッチＳＷs1をオンしたときに、高度を示す表示が点灯、高度表示スイッチＳＷs1をオフしたときに、高度を示す表示が消灯し、また、天気表示スイッチＳＷs2をオンしたときに、天気を示す表示が点灯し、天気表示スイッチＳＷs2をオフしたときに天気を示す表示が消灯するようにしてもよい。
【００４１】
なお、本実施例では、高度表示と天気表示とを別々に行うようにしたが、高度表示スイッチＳＷs1及び天気表示スイッチＳＷs2を同時にオンしたときには、分針１３０により高度を指示し、時針１２９により天気を指示するようにしてもよい。これにより、同時に複数の情報を指示することができる。
【００４２】
図８は本発明の第３実施例のブロック構成図、図９は本発明の第３実施例の動作説明図を示す。同図中、図１と同一構成部分には同一符号を付し、その説明は省略する。
【００４３】
本実施例の計時装置３００は、方位表示用発光ダイオードＬＥＤ11〜ＬＥＤ16を更に設けた構成とされている。方位表示用発光ダイオードＬＥＤ11〜ＬＥＤ18は、光ガイド部材３２１〜３２８を介して文字盤３１１から光を出射する。光ガイド部材３２１〜３２８は、時刻表示時に時針１２９が指示する「１２時」、「１時３０分」、「３時」、「４時３０分」、「６時」、「７時３０分」、「９時」、「１０時３０分」の位置に配置されている。
【００４４】
方位表示用発光ダイオードＬＥＤ11〜ＬＥＤ18のうちいずれか一つの発光ダイオードが方位に応じて発光することによって方位を指示する。例えば、発光ダイオードＬＥＤ11を点灯させた場合には光ガイド部材３２１から光が出射され「Ｎ」、発光ダイオードＬＥＤ12を点灯させた場合には光ガイド部材３２２から光が出射され「ＮＥ」、発光ダイオードＬＥＤ13を点灯させた場合には光ガイド部材３２３から光が出射され「Ｅ」、発光ダイオードＬＥＤ14を点灯させた場合には光ガイド部材３２４から光が出射され「ＳＥ」、発光ダイオードＬＥＤ15を点灯させた場合には光ガイド部材３２５から光が出射され「Ｓ」、発光ダイオードＬＥＤ16を点灯させた場合には光ガイド部材３２６から光が出射され「ＳＷ」、発光ダイオードＬＥＤ17を点灯させた場合には光ガイド部材３２７から光が出射され「Ｗ」、発光ダイオードＬＥＤ18を点灯させた場合には光ガイド部材３２８から光が出射され「ＮＷ」を指示していることを示している。
【００４５】
本実施例によれば、時針１２９及び分針１３０により時刻を指示したままで、方位表示用発光ダイオードＬＥＤ11〜ＬＥＤ16方位を指示することができる。
【００４６】
なお、本発明は上記実施例に限定されるものではなく、本発明の要旨を逸脱しない範囲において種々の変形例が考えられることは言うまでもない。
【図面の簡単な説明】
【００４７】
【図１】本発明の第１実施例のブロック構成図である。
【図２】指示装置１１１の構成図である。
【図３】マイコン１１２の処理フローチャートである。
【図４】本発明の第１実施例の動作説明図である。
【図５】本発明の第１実施例の動作説明図である。
【図６】本発明の第２実施例のブロック構成図である。
【図７】本発明の第２実施例の動作説明図である。
【図８】本発明の第３実施例のブロック構成図である。
【図９】本発明の第３実施例の動作説明図である。
【符号の説明】
【００４８】
１００、２００、３００  計時装置
１１１、２１１、３１１  指示装置、１１２、２１２  マイコン
１１３、２１３  検出部
１２１、２２１  指示機構、１２７、２２１  文字盤、１２９  時針、１３０  分針
１３１  ケース、１３２  時針駆動モータ、１３３  時針駆動機構
１３４  分針駆動モータ、１３５  分針駆動機構、１３６  プリント配線板
１４１、１４２  歯車、１４３  時針軸
１５１  分針軸
１７１、１７２  貫通孔
１９１、１９２ｎ、１９２ｅ、１９２ｓ、１９２ｗ、３２１〜３２８  光ガイド部材
ＳＷACC  アクセサリスイッチ、ＳＷIG  イグニッションスイッチ
２１３  気圧センサ、ＳＷs1  高度表示スイッチ、ＳＷs2  天気表示スイッチ
ＬＥＤ0、ＬＥＤn、ＬＥＤe、ＬＥＤs、ＬＥＤw、ＬＥＤ11〜ＬＥＤ18、ＬＥＤs1、
ＬＥＤs2  発光ダイオード
Ｒ  抵抗
【図１】
2009014616.tif 000003
【図２】
2009014616.tif 000004
【図３】
2009014616.tif 000005
【図４】
2009014616.tif 000006
【図５】
2009014616.tif 000007
【図６】
2009014616.tif 000008
【図７】
2009014616.tif 000009
【図８】
2009014616.tif 000010
【図９】
2009014616.tif 000011